【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
３Ｄプリンタ用のカートリッジ（１）であって、前記カートリッジ（１）はノズルを有
し、または予め規定されたノズルが形成され得るように設計され、前記カートリッジ（１）は歯科用複合材料を含み、前記複合材料は、
ａ．硬化性の、特に光硬化性の母材と、
ｂ．最大粒径が＜５μｍの充填材のみとを含み、
非硬化状態の前記歯科用複合材料の粘度は、１〜１０，０００Ｐａ＊ｓ、好ましくは１０〜２，０００Ｐａ＊ｓ、特に好ましくは５０〜８００Ｐａ＊ｓの範囲にある、カートリッジ（１）。
【請求項２】
前記複合材料の最大粒径に対する前記カートリッジ（１）のノズル口径のサイズ比は、１０：１、好ましくは３０：１、特に好ましくは５０：１である、請求項１に記載のカートリッジ（１）。
【請求項３】
前記複合材料を前記カートリッジ（１）から前記ノズルを通して移動させるためのピストン（１０）を有する、請求項１または２に記載のカートリッジ（１）。
【請求項４】
前記カートリッジ（１）において、前記ノズルの出口の前にふるいが位置付けられ、前記複合材料は、前記カートリッジ（１）からの移動中に前記ふるいを通され得る、請求項１〜３のいずれか１項に記載のカートリッジ（１）。
【請求項５】
前記カートリッジ（１）は、ノズルが特にレーザによる切断または穿刺によって形成され得るように設計されている、請求項１〜４のいずれか１項に記載のカートリッジ（１）。
【請求項６】
少なくとも１つの封止要素（９ａ、９ｂ、９ｃ）を有し、前記封止要素は、前記複合材料の移動のために前記カートリッジ（１）上に位置付け可能である加圧要素（８）に対して前記カートリッジ（１）が封止可能であるように設計されている、請求項１〜５のいずれか１項に記載のカートリッジ（１）。
【請求項７】
前記少なくとも１つの封止要素（９ａ、９ｂ、９ｃ）は、前記カートリッジ（１）の外部領域上に、または、貯蔵槽領域（６）に隣接する前記加圧要素（８）より上の前記カートリッジ（１）の内部領域に位置付けられ、前記貯蔵槽領域（６）は前記複合材料を含む、請求項６に記載のカートリッジ（１）。
【請求項８】
前記カートリッジ（１）の熱伝導率は、０．１〜４００Ｗ／ｍＫ、好ましくは０．２〜２５０Ｗ／ｍＫ、特に好ましくは７０〜２５０Ｗ／ｍＫである、請求項１〜７のいずれか１項に記載のカートリッジ（１）。
【請求項９】
特に請求項１〜８のいずれか１項に記載の複合材料からの歯科用部品の３Ｄ印刷のための支持材料であって、前記支持材料は、
ｉ）酸素を本質的に通さないように、または、波長範囲が１００〜１０００ｎｍ、好ましくは２００〜８００ｎｍ、特に好ましくは３００〜５００ｎｍである電磁放射を本質的に通すように、および、
ｉｉ）特に生体適合性を有するように、
設計されている、支持材料。
【請求項１０】
複合材料を硬化するための方法であって、
好ましくは付加的方法によって、特に好ましくは３Ｄ印刷によって硬化される少なくとも１つの複合材料を提供するステップと、
前記複合材料を特に請求項９に記載の支持材料で部分的にまたは完全にコーティングするステップと、
１００〜１０００ｎｍ、好ましくは２００〜８００ｎｍ、特に好ましくは３００〜５００ｎｍの範囲の波長を有する電磁放射を用いて前記複合材料を硬化するステップとを含み、前記支持材料は、この波長の前記電磁放射を本質的に通し、前記方法はさらに、
前記支持材料を除去するステップを含む、方法。
【請求項１１】
歯科補綴部品の生産的生成、特に３Ｄ印刷のための方法であって、歯科補綴部品が形成される態様で、少なくとも１つの、請求項１〜８のいずれか１項に記載のカートリッジ（１）から複合材料を排出して硬化するステップを含む、方法。
【請求項１２】
複雑な構造の支持のために最初に堆積される、請求項９に記載の支持材料がさらに提供される、請求項１１に記載の方法。
【請求項１３】
請求項９に記載の支持材料をカートリッジ内に提供するステップと、
堆積された複合材料を前記支持材料で部分的にまたは完全にコーティングするステップと、
前記支持材料を通して、１００〜１０００ｎｍ、好ましくは２００〜８００ｎｍ、特に好ましくは３００〜５００ｎｍの範囲の波長を有する電磁放射によって前記複合材料を硬化するステップとを含む、請求項１２に記載の方法。
【請求項１４】
ノズル口径に対する非硬化状態の前記複合材料の粘度の比は、０．０３３〜４０Ｐａ＊ｓ／μｍ、好ましくは０．５〜１０．０Ｐａ＊ｓ／μｍ、特に好ましくは０．８〜５．０Ｐａ＊ｓ／μｍの範囲にある、請求項１０〜１３のいずれか１項に記載の方法。
【請求項１５】
特に３Ｄ印刷プロセスによる歯科補綴物の生産的生成のための、請求項１〜８のいずれか１項に記載のカートリッジ（１）の使用。
【請求項１６】
付加的方法における、特に３Ｄ印刷における、請求項９に記載の支持材料の使用。
【請求項１７】
部品のキットであって、
ａ．請求項１〜８のいずれか１項に記載のカートリッジ（１）、特に、異なる複合材料を有するいくつかの、請求項１〜８のいずれか１項に記載のカートリッジ（１）を含み、いくつかの前記複合材料のうちのいくつかは、色および／または透光性が、および／または充填材組成に関して異なっており、前記キットはさらに、
ｂ．オプションで、請求項９に記載の支持材料、特にいくつかの、請求項９に記載の支持材料を含み、前記いくつかの支持材料のうちのいくつかは、透過波長範囲および／または粘度が異なっており、前記キットはさらに、
ｃ．歯科補綴物の生成のための説明書を含む、キット。
【手続補正２】
【補正対象書類名】明細書
【補正対象項目名】０１０４
【補正方法】変更
【補正の内容】
【０１０４】
図２は、この発明に従ったカートリッジ１の断面図を示す。カートリッジ１は、ノズル開口部２と、壁３と、上部境界４とを含む。境界４は、加圧要素を収容するためのくぼみを有する。くぼみ５を包囲する壁によって形成された貯蔵槽６は、複合材料とピストン（図示せず）とを含む。くぼみ５により、ピストンをカートリッジ内でノズル開口部２の方向に移動させ得る加圧要素が、カートリッジによって収容される。このようにして、カートリッジ１の貯蔵槽６の複合材料は、ノズル開口部２を通して放出され得る。
【手続補正３】
【補正対象書類名】明細書
【補正対象項目名】０１０６
【補正方法】変更
【補正の内容】
【０１０６】
図４は、３Ｄプリンタ１３における、この発明に従ったカートリッジ１の断面図を示す。封止要素９ａ、９ｂおよび９ｃも図示されている。この発明に従ったカートリッジ１はもちろん、図示された封止要素のうちの１つまたはいくつかのみを有し得る。封止要素９ａおよび９ｂは、Ｏリングである。封止要素９ａは、上部境界４上のカートリッジ１の外部領域に位置付けられる。封止要素９ｂは、壁３上のカートリッジ１の内部領域に位置付けられる。封止要素９ａおよび９ｂは、カートリッジ１と加圧要素８との間に封止を形成する。封止要素９ｃは、加圧要素８上に位置付けられてカートリッジ１の材料の切欠きに当たるウエルトによって形成される。封止要素９ａ、９ｂおよび９ｃは、周囲に対するカートリッジ１および加圧要素８の封止を保証する。加圧要素８は圧縮空気コネクタとして設計されているため、ピストン１０をノズル開口部２の方向に動かすには、周囲に対する封止が必要である。
【手続補正４】
【補正対象書類名】明細書
【補正対象項目名】０１１０
【補正方法】変更
【補正の内容】
【０１１０】
図８ａ／ｂに従ったカートリッジはさらに、カートリッジ本体の円錐台形状の端部３ａと、鍔の形をした、端部３ａの一部を包囲する、対応する円錐形の内側輪郭を有する止め要素１２とによって形成された位置付け装置を有する。これでは、円錐台形状の端部３ａの下部が止め要素１２から突出し、このため、３Ｄプリンタにおける規定されたマウントのための円錐台形状のセンタリング要素１１を形成する。止め要素１２の下部境界１２ａとノズル開口部２ａとの間の規定された狭い公差距離は、ノズル開口部２の規定された再現可能な位置を保証する。円錐台形状の端部３ａに対応して、ピストン１０もここでは、できるだけ完全にカートリッジ１から複合材料を排出すること、またはカートリッジ１を空にすることを保証するために、対応する形状を有する領域を有する。